(57)【要約】【課題】異常な使用形態や異常等を遠隔に告知することが可能なオーディオアンプを提供する。【解決手段】オーディオアンプ１に重力センサ２０、温度センサ２１、電流計２２、通電時間タイマ２３を設けるとともに、インターネット３を介してサーバ装置４に接続する。オーディオアンプ１は、これらセンサの検出内容を定期的にサーバ装置３に送信して動作状態を記録するとともに、センサの検出内容が異常な内容になったとき、異常である旨をサーバ装置４に通報して速やかな対応を促す。【選択図】  図１
2010087938.tif 000002
【特許請求の範囲】
【請求項１】
動作情況または設置情況を検出する１または複数のセンサと
ネットワークを介してサーバ装置と通信する通信手段と、
前記センサの検出内容を前記通信手段を用いて定期的に前記サーバ装置に送信する制御手段と、
を備えたオーディオアンプ。
【請求項２】
動作情況または設置情況を検出する１または複数のセンサと
ネットワークを介してサーバ装置と通信する通信手段と、
前記センサの検出値が予め定めた正常範囲から外れた値であったとき、前記通信手段を用いて前記サーバ装置にその旨を送信する制御手段と、
を備えたオーディオアンプ。
【請求項３】
前記１または複数のセンサは、少なくとも重力センサを含み、自装置がどの向きに設置されているかを検出する請求項１または請求項２に記載のオーディオアンプ。
【発明の詳細な説明】
【技術分野】
【０００１】
この発明は、動作や設置形態の異常を検出する機能を備えたオーディオアンプに関する。
【背景技術】
【０００２】
オーディオアンプに多くのスピーカを接続し定格を超える電流を流した場合には、パワートランジスタが破損してしまう。このような事故を防止するため、異常な接続を検出して警報を発するとともに自動停止するオーディオアンプが提案されている（特許文献１参照）。
【０００３】
【特許文献１】特開２００２−２８０８４３号公報
【発明の開示】
【発明が解決しようとする課題】
【０００４】
しかし、オーディオアンプを使用するものが異常を認識してそのような形態の接続を行っている場合、アンプがその場で警告を発しても効果がない。すなわち、オーディオアンプを管理・メンテナンスする者に対してこの異常が通報されなければ有効な対応がとられる期待ができない。
【０００５】
また、オーディオアンプは筐体内の換気のため、空気の流通経路が予め設計されている。この流通経路を維持するため、その設置形態（縦置き／横置き）が決められている。しかし、従来のオーディオアンプは、自分がどの向きに設置されているかを検出することができなかったため、異なる向きに設置されても警報を発したり自動停止することができなかった。
【０００６】
この発明は、異常な使用形態や異常等を遠隔に告知することが可能なオーディオアンプを提供することを目的とする。
【課題を解決するための手段】
【０００７】
請求項１の発明は、動作情況または設置情況を検出する１または複数のセンサとネットワークを介してサーバ装置と通信する通信手段と、前記センサの検出内容を前記通信手段を用いて定期的に前記サーバ装置に送信する制御手段と、を備えたことを特徴とする。
【０００８】
請求項２の発明は、動作情況または設置情況を検出する１または複数のセンサと、ネットワークを介してサーバ装置と通信する通信手段と、前記センサの検出値が予め定めた正常範囲から外れた値であったとき、前記通信手段を用いて前記サーバ装置にその旨を送信する制御手段と、を備えたことを特徴とする。
【０００９】
請求項３の発明は、上記発明において、前記１または複数のセンサは、少なくとも重力センサを含み、自装置がどの向きに設置されているかを検出することを特徴とする。
【発明の効果】
【００１０】
この発明によれば、オーディオアンプの異常な使用形態や異常を遠隔に告知することができるため、使用者が正常でないことを認識しつつ使用を続けている場合でも、遠隔の管理者がそれを知ることができ、速やかな対応をとることが可能になる。
【発明を実施するための最良の形態】
【００１１】
図１はこの発明の実施形態であるオーディオアンプおよびサーバ装置を含むオーディオアンプ管理システムの構成図である。
【００１２】
オーディオアンプ１は、たとえば、カラオケ店舗においてカラオケ再生装置に接続されるアンプである。オーディオアンプ１は、制御部１０、電源回路１１、増幅回路１２、ネットワーク制御部１３、操作・表示部１４を備えている。制御部１０はマイコンを備え、オーディオアンプ１全体の動作を制御する。電源回路１１は商用電源に接続され、オーディオアンプ１の各回路部に対して電源を供給する。増幅回路１２は、カラオケ再生装置等から入力されたオーディオ信号を増幅してスピーカ２に出力する。
【００１３】
ネットワーク制御部１３は、制御部１０、サーバ装置４間のデータ送受信を制御する。データ送受信はインターネット３を介して行われる。操作・表示部１４は、いわゆるユーザインタフェースであり、ユーザの操作を受け付けるとともに、現在の動作状態等を表示する。
【００１４】
また、制御部１０には、重力センサ２０、温度センサ２１、電流計２２、通電時間タイマ２３の４種類のセンサが接続されている。重力センサ２０はいわゆるＧセンサであり、このオーディオアンプ１がどの向きに設置されているかを検出する。温度センサ２１は、オーディオアンプ１の内部温度、特に増幅回路１２のパワートランジスタ付近の温度を検出する。電流計２２は、電源回路１１が増幅回路１２に供給している電流を計測する。通電時間タイマ２３は、電源がオンされてからのオン継続時間を計測する計時装置である。これらセンサの検出内容はこのオーディオアンプの動作情況データとしてサーバ装置４に送られる。なお、通電時間タイマは制御部１０（マイコン）の内部にソフト的に設けてもよい。
【００１５】
サーバ装置４は、インターネット３を介して複数のオーディオアンプから動作情況データを受信し、ログに記録する。サーバ装置４の係員が必要に応じてそのログを読み出して各オーディオアンプの動作状態を確認したり、オーディオアンプのユーザの使用形態やニーズの分析等を行う。
【００１６】
また、オーディオアンプ１の制御部１０は、温度センサ２１や電流計２２が異常な値を検出したとき、危険な状態であるとしてサーバ装置４に対して異常情報を送信する。サーバ装置４は異常情報を受信するとアラームを発生する。これにより、係員がその異常に対して即座に対応可能になる。
【００１７】
図２はオーディオアンプ１の制御部１０の動作を示すフローチャートである。
【００１８】
同図（Ａ）はオーディオアンプ１の電源がオンされたのち定期的（たとえば３０分毎）に実行される定期検出処理を示すフローチャートである。まず重力センサ２０の値を読み取って設置形態、すなわちオーディオアンプ１がどの向きに設置されているかを検出する（Ｓ１）。次に通電時間タイマ２３をチェックして電源がオンされてからどれだけの時間が経過したかを読み取る（Ｓ２）。次に電流計２２をチェックして増幅回路１２どれだけの電流が供給されているかを読み取る（Ｓ３）。そして温度センサ２１をチェックして内部温度を読み取る（Ｓ４）。そしてこれらのデータを動作情況データとしてサーバ装置４に送信する（Ｓ５）。
【００１９】
同図（Ｂ）は異常監視動作を示すフローチャートである。この動作は定期検出動作よりも短い時間間隔（たとえば１分ごと）で行われる。まず電流計２２により、現在の電流を検出する（Ｓ１１）。この電流が正常範囲（たとえば定格電流の８０％以下）であるかを判断する（Ｓ１２）。正常範囲を超えている場合には（Ｓ１２：Ｎ）、サーバ装置４に対して異常情報を送信する（Ｓ１３）。電流が正常範囲内であれば（Ｓ１２：Ｙ）、Ｓ１３をスキップしてＳ１４に進む。
【００２０】
Ｓ１４では、温度センサ２０により、内部温度を検出する。この温度が正常範囲（たとえば６０℃以下）であるかを判断する（Ｓ１５）。正常範囲を超えている場合には（Ｓ１５：Ｎ）、サーバ装置４に対して異常情報を送信する（Ｓ１６）。内部温度が正常範囲内であれば（Ｓ１５：Ｙ）、Ｓ１６をスキップして動作を終了する。
【００２１】
このように、定期検出動作は検出間隔は長いが、検出したデータは必ずサーバ装置４に送信される。一方、異常監視動作は検出間隔は短いが、異常な値を検出したときのみその情報がサーバ装置４に送信される。
【００２２】
図３はサーバ装置４の動作を示すフローチャートである。サーバ装置４は複数のオーディオアンプ１に対してこの動作を実行している。オーディオアンプ１から定期的な動作情況データを受信するか（Ｓ２１）、異常情報を受信する（Ｓ２３）まで待機ルーチンで待機する。定期的な動作情況データを受信すると（Ｓ２１：Ｙ）、このデータをログに記録する（Ｓ２２）。記録されたログは係員により適宜読み出し・集計が可能である。
【００２３】
また、異常情報を受信すると（Ｓ２３：Ｙ）、係員が即座に対応可能なようにアラームを発生するとともに（Ｓ２４）、この異常の発生をログに記録する（Ｓ２５）。アラームとしてはアラーム音を鳴動させる、ランプを点滅させる、ディスプレイに異常である旨を表示する等の態様がある。
【００２４】
これにより、遠隔でオーディオアンプ１の使用情況を管理し、異常の発生を監視することが可能になる。
【００２５】
この実施形態では、重力センサ２０、温度センサ２１、電流計２２、通電時間タイマ２３の４種類のセンサを設け、設置形態、内部温度、増幅回路１２への供給電圧、電源オンの継続時間を検出しているが、検出内容・項目はこれに限定されない。
【００２６】
また、重量センサ２０が異常な設置方向を検出した場合に、インターネット３を介してサーバ装置４に通報するとともに、または通報に代えて、オーディオアンプ１自身が警告を発しまたは自動停止するようにしてもよい。
【図面の簡単な説明】
【００２７】
【図１】この発明の実施形態であるオーディオアンプのブロック図
【図２】同オーディオアンプの動作を示すフローチャート
【図３】サーバ装置の動作を示すフローチャート
【符号の説明】
【００２８】
１…オーディオアンプ
１０…制御部
１２…増幅回路
２０…重力センサ
２１…温度センサ
２２…電流計
２３…通電時間タイマ
【図１】
2010087938.tif 000003
【図２】
2010087938.tif 000004
【図３】
2010087938.tif 000005